(57)【要約】【課題】安価で、ベッドの寝板を配置する枠の強度を向上する介護用ベッドを提供する。【解決手段】介護用ベッドは、ヘッドボード２及びフットボード３の両側に、一対のサイドフレーム４を連結している木製のベッド枠１と、ベッド枠１の内側に配設している金属枠５と、金属枠５の上に固定している寝板６とを備える。サイドフレーム４は、内側に載ロッド７を固定して、載ロッド７の上に金属枠５を載せて固定している。ヘッドボード２とフットボード３は、サイドフレーム４の端部を連結する位置に、上下に離して複数の雌ネジ穴８を設けている。サイドフレーム４は両端にＬ金具９を固定しており、このＬ金具９の脱着片９Ｂを、雌ネジ穴８にねじ込んでいる止ネジ１０を介して脱着できるようにヘッドボード２とフットボード３に固定している。金属枠５は、手すり１１を連結する連結孔１２を設けており、この連結孔１２に手すり１１を脱着できるように連結している。【選択図】図２
2007289378.tif 000002
【特許請求の範囲】
【請求項１】
木製のヘッドボード(2)及びフットボード(3)の両側に、一対の木製のサイドフレーム(4)を連結している木製のベッド枠(1)と、このベッド枠(1)の内側に配設している金属枠(5)と、この金属枠(5)の上に固定している寝板(6)とを備える介護用ベッドであって、
ベッド枠(1)のサイドフレーム(4)は、内側に載ロッド(7)を固定して、この載ロッド(7)の上に金属枠(5)を載せて固定しており、
ヘッドボード(2)とフットボード(3)は、内面であってサイドフレーム(4)の端部を連結する位置に上下に離して複数の雌ネジ穴(8)を設けており、
サイドフレーム(4)は、ヘッドボード(2)とフットボード(3)に連結されるＬ金具(9)を両端に固定しており、このＬ金具(9)はサイドフレーム(4)に固定している固定片(9A)と、ヘッドボード(2)とフットボード(3)に止ネジ(10)を介して固定される脱着片(9B)とからなり、脱着片(9B)は雌ネジ穴(8)にねじ込んでいる止ネジ(10)を介して脱着できるようにヘッドボード(2)とフットボード(3)に固定しており、
金属枠(5)は手すり(11)を脱着できるように連結する連結孔(12)を設けており、この連結孔(12)に手すり(11)を脱着できるように連結してなる介護用ベッド。
【請求項２】
請求項１に記載の介護用ベッドにおいて、金属枠(5)は、手すり(11)を挿入する位置に連結パイプ(13)を固定して、連結パイプ(13)で連結孔(12)を設けていることを特徴とする介護用ベッド。
【請求項３】
請求項１または請求項２に記載の介護用ベッドにおいて、金属枠(5)は、寝板(6)を支える梁(5C)を有することを特徴とする介護用ベッド。
【請求項４】
請求項３に記載の介護用ベッドにおいて、寝板(6)がすのこ形状であり、すのこ形状の寝板(6)のうち上面の上板(6A)が、金属枠(5)の梁(5C)に対して直交方向に並ぶことを特徴とする介護用ベッド。
【請求項５】
請求項１ないし４のいずれかに記載の介護用ベッドにおいて、金属枠(5)が、ベッド枠(1)により外観上隠れることを特徴とする介護用ベッド。
【発明の詳細な説明】
【技術分野】
【０００１】
本発明は、姿勢をかえる際や立ち上がりの際に、補助のためにつかむ手すりを有する介護用ベッドに関する。
【背景技術】
【０００２】
従来より、体格、体型、好みに合わせて容易に高さ調節、傾斜調節ができる介護ベッドが存在する。例えば、寝板の一部が電動により、所望の傾斜に調整できるものがある。
また、寝板の角度を調整する機能はないが、体を起こす場合などにつかみやすく、多くの体重をかける使用であっても力に耐えうる頑丈な手すりを有するベッドが存在する（特許文献１参照）。この寝板の傾斜調整ができないベッドは、寝板と布団の間につめものをする等して、寝る人の姿勢を調節する。
【特許文献１】実用新案登録第３０６８２４５号
【発明の開示】
【発明が解決しようとする課題】
【０００３】
しかしながら、電動で寝板の角度を調整できるベッドは、高価であった。
また、特許文献１に記載の技術は、寝板を配置するベッド本体の枠が、四つの板の四隅を接合金具のみで固定する構造であり、枠の強度に不安が残るものであった。
【０００４】
本発明は、安価で、ベッドの寝板を配置する枠の強度を向上する介護用ベッドを提供することを目的とする。
また、本発明は、姿勢をかえる際や立ち上がりの際に補助のためにつかむ手すりを安定して支持できる介護用ベッドを提供することを目的とする。
【課題を解決するための手段】
【０００５】
本発明の介護用ベッドは、木製のヘッドボード２及びフットボード３の両側に、一対の木製のサイドフレーム４を連結している木製のベッド枠１と、このベッド枠１の内側に配設している金属枠５と、この金属枠５の上に固定している寝板６とを備える。ベッド枠１のサイドフレーム４は、内側に載ロッド７を固定して、この載ロッド７の上に金属枠５を載せて固定している。ヘッドボード２とフットボード３は、内面であってサイドフレーム４の端部を連結する位置に、上下に離して複数の雌ネジ穴８を設けている。サイドフレーム４は、ヘッドボード２とフットボード３に連結されるＬ金具９を両端に固定している。このＬ金具９は、サイドフレーム４に固定している固定片９Ａと、ヘッドボード２とフットボード３に止ネジ１０を介して固定される脱着片９Ｂとからなる。脱着片９Ｂは、雌ネジ穴８にねじ込んでいる止ネジ１０を介して脱着できるようにヘッドボード２とフットボード３に固定している。金属枠５は、手すり１１を脱着できるように連結する連結孔１２を設けており、この連結孔１２に手すり１１を脱着できるように連結している。
【０００６】
本発明の請求項２の介護用ベッドは、請求項１に記載の介護用ベッドであって、金属枠５が、手すり１１を挿入する位置に連結パイプ１３を固定して、連結パイプ１３で連結孔１２を設けていることを特徴としている。
【０００７】
本発明の請求項３の介護用ベッドは、請求項１または請求項２に記載の介護用ベッドであって、金属枠５が、寝板６を支える梁５Ｃを有することを特徴としている。
【０００８】
本発明の請求項４の介護用ベッドは、請求項３に記載の介護用ベッドであって、寝板６がすのこ形状であり、すのこ形状の寝板６のうち上面の上板６Ａが、金属枠５の梁５Ｃに対して直交方向に並ぶことを特徴としている。
【０００９】
本発明の請求項５の介護用ベッドは、請求項１ないし４のいずれかに記載の介護用ベッドであって、金属枠５が、ベッド枠１により外観上隠れることを特徴としている。
【発明の効果】
【００１０】
本発明の介護用ベッドは、安価に製造しながら、ベッドの寝板を配置する枠の強度を向上して、丈夫な構造にできる特長がある。それは、本発明の介護用ベッドが、ベッド枠の内側に金属枠を固定し、金属枠の上に寝板を配置しているからである。この構造の介護用ベッドでは、ベッド枠の内側に金属枠を設けることにより、ベッドの強度を上げることができる。とくに、木製のベッド枠を内側の金属枠で補強して木製のベッド枠の強度を向上することができる。また、金属枠の上に寝板を配置することにより、寝板や寝板の上に敷く布団や体重の重みを支えることができる強度を得ることができる。
【００１１】
また、本発明の介護用ベッドは、サイドフレームの両端にＬ金具を固定すると共に、ヘッドボードとフットボードの内面に、上下に離して複数の雌ネジ穴を設けており、この雌ネジ穴にねじ込んでいる止ネジを介してＬ金具の固定片を脱着できるようにヘッドボードとフットボードに固定しているので、ヘッドボードとフットボードに対するサイドフレームの連結位置を変更して、ベッドの上面の高さを最適な高さにできる特長がある。このことは、介護用ベッドにとって、重要である。それは、使用者の症状によってベッドの高さに制約を受けることがあるからである。
【００１２】
また、本発明の介護用ベッドは、金属枠に、手すりを脱着できるように連結する連結孔を設けており、この連結孔に手すりを連結しているので、木製の外枠に手すりを固定するベッドに比べて、しっかりと確実に手すりを連結できる特長がある。このため、本発明の介護用ベッドは、手すりを安定して支持でき、使用者が姿勢をかえたり立ち上がる際の補助のための手すりとして、安心して使用できる特長がある。
【００１３】
本発明の請求項２の介護用ベッドは、金属枠が、手すりを挿入する位置に連結パイプを固定して、この連結パイプで連結孔を設けているので、荷重がかかる手すりの連結部分を連結パイプで確実に保持して、手すりをしっかりと連結できる特長がある。
【００１４】
本発明の請求項３の介護用ベッドは、金属枠び、寝板を支える梁を設けているので、金属枠の強度を向上できる特長がある。また、この梁は、金属枠の上に配置する寝板の支えとして使用することもできる。
【００１５】
本発明の請求項４の介護用ベッドは、すのこ形状の寝板の上面の上板を、金属枠の梁に対して直交方向に並べているので、複数の上板をつなぐ横木を、梁に対して平行に配設できる。このため、梁の上に横木が載るのを避けて、金属枠と寝板の隙間を少なくし、不必要に寝床の高さが高くなることを防止できる。また、金属枠と寝板とを連結位置がずれないように連結して、寝板が大きく動くことを防止できる。また、すのこ形状の寝板の複数の上板を梁に対して直交方向に並べているので、複数の上板を金属枠の梁で安定して支持できる特長もある。とくに、すのこ形状である寝板は、一枚板状である場合に比べて、重さを軽減することができる。
【００１６】
本発明の請求項５の介護用ベッドは、金属枠が木製のベッド枠により外観上隠れるようにしており、横から見ると金属枠が隠れて見えないため、外観上、木製のベッドに見える。このため、使用者に、木のぬくもりを感じさせて、安堵感を与えることができる。
【発明を実施するための最良の形態】
【００１７】
以下、図面を参照して本発明の実施例を説明する。なお、これにより本発明が限定されるものではない。
【実施例１】
【００１８】
図１と図２に、本発明の実施例に係る介護用ベッドの概略図を示す。これらの図の介護用ベッドは、木製のヘッドボード２及びフットボード３の両側に、一対の木製のサイドフレーム４を連結している木製のベッド枠１と、このベッド枠１の内側に配設している金属枠５と、この金属枠５の上に固定している寝板６とを備える。この介護用ベッドは、サイドフレーム４の内側に載ロッド７を固定して、この載ロッド７の上に金属枠５を載せて固定している。ヘッドボード２とフットボード３は、サイドフレーム４を高さを調整して連結するために、その内面であってサイドフレーム４の端部を連結する位置に上下に離して複数の雌ネジ穴８を設けている。サイドフレーム４は、図２と図３に示すように、ヘッドボード２とフットボード３に連結されるＬ金具９を両端に固定している。このＬ金具９は、サイドフレーム４に固定している固定片９Ａと、ヘッドボード２とフットボード３に止ネジ１０を介して固定される脱着片９Ｂとからなる。Ｌ金具９の脱着片９Ｂは、雌ネジ穴８にねじ込んでいる止ネジ１０を介して脱着できるようにヘッドボード２とフットボード３に固定される。金属枠５は、手すり１１を脱着できるように連結する連結孔１２を設けており、この連結孔１２に手すり１１を脱着できるように連結している。
【００１９】
ヘッドボード２とフットボード３は、互いに平行で垂直な姿勢となるように、その両側をサイドフレーム４で連結している。垂直なフットボード３を配置し、ヘッドボード２とフットボード３の両側を、一対のサイドフレーム４を介して連結してベッド枠１としている。サイドフレーム４の内側であって、寝板６の間に、手すり１１を垂直に脱着できるように連結している。なお、ヘッドボード２とフットボード３とサイドフレーム４は木製である。
【００２０】
図４と図５に、本介護用ベッドを真上から見た概略図を示す。ただし、図５は、説明のために寝板６をはずした状態を示す。ヘッドボード２とフットボード３とサイドフレーム４で形成されたベッド枠１の内側に、金属枠５を設置している。金属枠５は、サイドフレーム４の内側に配置される縦枠５Ａと、ヘッドボード２とフットボード３の内側に配置される横枠５Ｂとを四角形に連結して枠形状としている。図の金属枠５は、横枠５Ｂの内側に複数の梁５Ｃを連結して、金属枠５の中間を補強している。この金属枠５は、梁５Ｃと横枠５Ｂに寝板６である、すのこの上板６Ａを載せて、梁５Ｃと横枠５Ｂですのこの上板６Ａを下からしっかりと支持できる。また、縦枠５Ａに作用する横方向のねじれ力に対して強度を向上できる。
【００２１】
さらに、金属枠５は、サイドフレーム４の内側に配置される縦枠５Ａに連結孔１２を設けている。金属枠５は、手すり１１を挿入する位置に垂直姿勢に連結パイプ１３を固定して、この連結パイプ１３でもって連結孔１２を設けている。この構造の金属枠５は、図２に示すように、手すり１１から下方に延びる連結ロッド１４を連結孔１２に挿入して、しっかりと手すり１１を金属枠５に連結できる。とくに、図６と図７に示すように、水平面内で直角に曲がる構造の角度調整手すり１１Ａをしっかりと支持できる。角度調整手すり１１Ａは、ベッドから立ち上がるとき体重をかけると、縦枠５Ａを横にねじる方向の力が作用する。図の金属枠５は、縦枠５Ａの途中を梁５Ｃで連結し、さらに、縦枠５Ａに連結パイプ１３を固定して、連結孔１２としているので、この方向の力に対しても十分な強度にできる。したがって、この構造は、姿勢をかえたり立ち上がるときの補助のために手すりに力を加えても、手すりを安定して支持でき、安心して使用できる特長がある。
【００２２】
また、金属枠５は、手すり１１の連結位置を変更できるように、縦枠５Ａに所定の間隔で複数の連結孔１２を設けている。手すり１１は、その下端の連結ロッド１４を連結孔１２に入れて、取り外しでき、また連結位置を変更できるように金属枠５に連結される。
【００２３】
金属枠５は、図２、図３及び図８に示すように、金属板を溝型にしているチャンネルを溶接したもので、サイドフレーム４に接する側の側面には、サイドフレーム４と縦枠５Ａをボルト１５で固定するための穴１６を設けている。また、チャンネルからなる縦枠５Ａは、上下の金属板に連結パイプ１３の上端と下端を溶接して固定して、連結孔１２を設けている。
【００２４】
図２と図３は、ヘッドボード２及びフットボード３にサイドフレーム４を連結する構造を示す。これらの図のサイドフレーム４は、両端にＬ金具９を固定している。Ｌ金具９は、脱着片９Ｂに、フットボード３およびヘッドボード２にねじ込んで固定される止ネジ１０に引っ掛けるフック状の切り欠き１７を設けている。この切り欠き１７を止ネジ１０に引っかける状態で、止ネジ１０を雌ネジ穴８にねじ込んで、サイドフレーム４をヘッドボード２とフットボード３にしっかりと固定する。通常は、このサイドフレーム４に金属枠５を固定した状態を一体の部品とし、これをヘッドボード２およびフットボード３に、高さが異なるように設けられた雌ネジ穴８に止ネジ１０で固定する。雌ネジ穴８にねじ込む止ネジ１０の上下位置を変更して、サイドフレーム４を固定する高さを好みに応じて調整する。なお、金属枠５は、サイドフレーム４の上縁に合わせて固定されず、サイドフレーム４の上縁から下げた位置に固定される。この介護用ベッドは、外部から見て金属枠５が見えず、木製のベッドに見せることができる。
【００２５】
図４に、金属枠５の上面に、すのこ形状の寝板６を配置する様子を真上からみた概略を示す。金属枠５の縦枠５Ａと横枠５Ｂと梁５Ｃの上面に、すのこの上板６Ａを載置する。なお、すのこの上板６Ａの長辺方向は、金属枠５の横枠５Ｂと梁５Ｃにほぼ垂直である。複数枚のすのこの上板６Ａは、その下面にすのこの横木６Ｂを固定して一定の間隔に連結している。すのこの横木６Ｂは、金属枠５の縦枠５Ａと横枠５Ｂの内側にはまり込む大きさにすることで、金属枠５と寝板６を、連結位置がずれないように連結できる。また、金属枠５の梁５Ｃおよび外縁に合わせてすのこの横木６Ｂの位置を決めることにより、たとえば、寝板６が大きく動くことを防止することができる。
【図面の簡単な説明】
【００２６】
【図１】本発明の実施例１に係る介護用ベッドの概略斜視図である。
【図２】図１に示す介護用ベッドの分解斜視図である。
【図３】ベッド枠の連結構造を示す拡大斜視図である。
【図４】図１に示す介護用ベッドの平面図である。
【図５】図４に示す介護用ベッドの寝板を取り除いた平面図である。
【図６】図１に示す介護用ベッドの角度調整手すりの斜視図である。
【図７】図６に示す角度調整手すりを折曲した状態を示す斜視図である。
【図８】ベッド枠と金属枠の連結構造を示す一部拡大断面図である。
【符号の説明】
【００２７】
１…ベッド枠
２…ヘッドボード
３…フットボード
４…サイドフレーム
５…金属枠              ５Ａ…縦枠
５Ｂ…横枠
５Ｃ…梁
６…寝板                ６Ａ…上板
６Ｂ…横木
７…載ロッド
８…雌ネジ穴
９…Ｌ金具              ９Ａ…固定片
９Ｂ…脱着片
１０…止ネジ
１１…手すり            １１Ａ…角度調整手すり
１２…連結孔
１３…連結パイプ
１４…連結ロッド
１５…ボルト
１６…穴
１７…切り欠き
【図１】
2007289378.tif 000003
【図２】
2007289378.tif 000004
【図３】
2007289378.tif 000005
【図４】
2007289378.tif 000006
【図５】
2007289378.tif 000007
【図６】
2007289378.tif 000008
【図７】
2007289378.tif 000009
【図８】
2007289378.tif 000010